(57)【要約】　　　（修正有）【課題】用水回収保存分段給水装置を具えたトイレタンクの提供。【解決手段】トイレタンク１０の一側に回収入水管１４とフロートバルブ１５を具え、該回収入水管が洗面台等の設備の排水管（図示せず。）に連接され、排水をトイレタンク内に回収導入し、水道水の入水量を減らす。別に押しボタン２１と連接棒セット２０の組合せにより水量の分段給水制御を行う。又、タンク底側に水道水入水管１２とフロートバルブ１３が設けられ、フロートバルブを低い位置に設定することにより、僅かに一回注入するのみで、水資源の回収再利用と水量分段給水両方の機能を具え、節水を達成する。【選択図】　　　　図１
0003097053.tif 000002
【実用新案登録請求の範囲】
【請求項１】
トイレタンクの内部に連接棒セットが設けられ、外部に設けられた押しボタンに連接棒セットが組み合わされて水量の分段給水制御を行え、タンクの底側に水道水入水管とフロートバルブが設けられ、トイレタンクの注水後にフロートバルブを傾斜させて水道水入水管を開いて水道水を導入する用水回収保存分段給水装置を具えたトイレタンクにおいて、
トイレタンクの一側に回収入水管とフロートバルブが設けられ、この回収入水管が洗面台の排水管に連接され、回収入水管により洗面台の使用済みの水がトイレタンク内に導入されて回収使用され、用水回収再利用を達成することを特徴とする、用水回収保存分段給水装置を具えたトイレタンク。
【請求項２】
請求項１記載の用水回収保存分段給水装置を具えたトイレタンクにおいて、トイレタンク内部の連接棒セットが外部の押しボタン操作により制御される牽引棒、牽引棒の二つのロープに駆動される圧接棒と止水弁、止水弁に対して係止するストッパロッドを具え、該圧接棒が牽引棒により引き上げる程度の違いにより、出水流量が制御され、
該トイレタンクの水道水入水管の高さ及びフロートバルブのレベルが低い位置に設置され、これにより水道水が一回注水する入水量のみとされ、
該トイレタンク内部にオーバーフロー管が設けられ、該オーバーフロー管の下端が出水管に連接され、トイレタンクの貯水が一定程度に達した後、該オーバーフロー管より便器内に導入されることを特徴とする、用水回収保存分段給水装置を具えたトイレタンク。
【請求項３】
請求項１記載の用水回収保存分段給水装置を具えたトイレタンクにおいて、複数のトイレタンクの回収入水管が直列に連接された後にさらに洗面台の排水管に連接され、回収入水管のフロートバルブが単一のトイレタンク或いは直列されたトイレタンクの最後の一つのタンクにあって省略可能とされたことを特徴とする、用水回収保存分段給水装置を具えたトイレタンク。
【請求項４】
請求項１記載の用水回収保存分段給水装置を具えたトイレタンクにおいて、洗面台の下方の排水管がトイレタンクの回収入水管とされてスタンドが該排水管の下方を支持し、並びに調整式の足座により地面との良好な接触関係が獲得され、これにより洗面台下方が安定して支持されたことを特徴とする、用水回収保存分段給水装置を具えたトイレタンク。
【請求項５】
請求項１記載の用水回収保存分段給水装置を具えたトイレタンクにおいて、ビルの各室の洗面台、浴槽、シャワーヘッド等の衛生設備用水が各階に設置された大型のタンクに保存された後、さらに出水管で次の階の各室のトイレタンクに導入され、これにより水資源の回収再利用が効率的に行えることを特徴とする、用水回収保存分段給水装置を具えたトイレタンク。
【考案の詳細な説明】
【０００１】
【考案の属する技術分野】
本考案は一種の用水回収保存分段給水装置を具えたトイレタンクに係り、特に、トイレタンクの一側に回収入水管が設けられて洗面台等の設備の用水を導入し、大幅に水道水の入水量を減らし、そのトイレタンクの分段給水構造が組み合わされ、及び水道水入水管のフロートバルブが低い位置に設置されたことにより、水資源の回収再利用及び水量分段給水の機能を具え、有効に節水の目的を達成する、用水回収保存分段給水装置を具えたトイレタンクに関する。
【０００２】
【従来の技術】
伝統的なトイレタンクの設計の多くは、節水操作構造設計がなく、押しボタンに止水弁が連動して開放され注水する時、タンク内の貯水が一回で排出されて便器に流されて排泄物を流し、さらに新たにタンクに入水される。このような状況では、大便、小便により水量を選択することができず、水道代が増すほか、水資源の浪費が発生し、特に雨の少ない時期においては、水の浪費の影響は更に厳重となる。
【０００３】
トイレ用水の問題を解決するため、業界ではすでに各種の節水トイレ関係製品が開発されている。それは押しボタンに連接棒セット及びフロートバルブの構造の組合せにより、押しボタンが押され止水弁が開いて注水する時、その出水量を制御して分段式給水が行え、大便、小便の異なる用水量の要求に対応する。これにより水道代を節約できるほか、水資源の浪費を防止できる。
【０００４】
上述の節水トイレは大小便により水量を選択して節水の目的を達成できるが、実際には全ての用水は水道水とされ、回収再利用される水資源ではなく、言い換えると、前述の節水トイレは単純に用水を節約する機能しかなく、並びに用水回収再利用の真正の節水機能を達成しておらず、理想的とはいえない。
【０００５】
【考案が解決しようとする課題】
トイレタンクの用水問題を解決するため、本考案は用水を適当に回収再利用するトイレタンク構造を提供する。
【０００６】
本考案の主要な目的は、用水回収保存分段給水装置を具えたトイレタンクを提供することにあり、特に、構造の組成設計により、洗面台の用水を導入し回収再利用し、これにより水道水の使用を減少し、真正の節水機能を達成できるようにする。
【０００７】
本考案の次の目的は、水道水入水管フロートバルブの低い位置の設置により、有効に水道水の入水量を減らし、水道水使用量を減らせるようにすることにある。
【０００８】
【課題を解決するための手段】
請求項１の考案は、トイレタンクの内部に連接棒セットが設けられ、外部に設けられた押しボタンに連接棒セットが組み合わされて水量の分段給水制御を行え、タンクの底側に水道水入水管とフロートバルブが設けられ、トイレタンクの注水後にフロートバルブを傾斜させて水道水入水管を開いて水道水を導入する用水回収保存分段給水装置を具えたトイレタンクにおいて、
トイレタンクの一側に回収入水管とフロートバルブが設けられ、この回収入水管が洗面台の排水管に連接され、回収入水管により洗面台の使用済みの水がトイレタンク内に導入されて回収使用され、用水回収再利用を達成することを特徴とする、用水回収保存分段給水装置を具えたトイレタンクとしている。
請求項２の考案は、請求項１記載の用水回収保存分段給水装置を具えたトイレタンクにおいて、トイレタンク内部の連接棒セットが外部の押しボタン操作により制御される牽引棒、牽引棒の二つのロープに駆動される圧接棒と止水弁、止水弁に対して係止するストッパロッドを具え、該圧接棒が牽引棒により引き上げる程度の違いにより、出水流量が制御され、
該トイレタンクの水道水入水管の高さ及びフロートバルブのレベルが低い位置に設置され、これにより水道水が一回注水する入水量のみとされ、
該トイレタンク内部にオーバーフロー管が設けられ、該オーバーフロー管の下端が出水管に連接され、トイレタンクの貯水が一定程度に達した後、該オーバーフロー管より便器内に導入されることを特徴とする、用水回収保存分段給水装置を具えたトイレタンクとしている。
請求項３の考案は、請求項１記載の用水回収保存分段給水装置を具えたトイレタンクにおいて、複数のトイレタンクの回収入水管が直列に連接された後にさらに洗面台の排水管に連接され、回収入水管のフロートバルブが単一のトイレタンク或いは直列されたトイレタンクの最後の一つのタンクにあって省略可能とされたことを特徴とする、用水回収保存分段給水装置を具えたトイレタンクとしている。
請求項４の考案は、請求項１記載の用水回収保存分段給水装置を具えたトイレタンクにおいて、洗面台の下方の排水管がトイレタンクの回収入水管とされてスタンドが該排水管の下方を支持し、並びに調整式の足座により地面との良好な接触関係が獲得され、これにより洗面台下方が安定して支持されたことを特徴とする、用水回収保存分段給水装置を具えたトイレタンクとしている。
請求項５の考案は、請求項１記載の用水回収保存分段給水装置を具えたトイレタンクにおいて、ビルの各室の洗面台、浴槽、シャワーヘッド等の衛生設備用水が各階に設置された大型のタンクに保存された後、さらに出水管で次の階の各室のトイレタンクに導入され、これにより水資源の回収再利用が効率的に行えることを特徴とする、用水回収保存分段給水装置を具えたトイレタンクとしている。
【０００９】
【考案の実施の形態】
本考案によると、トイレタンクの一側に回収入水管が設けられて洗面台等の設備の用水を導入し、これにより大幅に水道水の入水量を減らし、トイレタンクの分段給水構造と、水道水入水管のフロートバルブの低い位置の設置が組み合わされ、これにより水資源回収再利用と水量分段給水の機能を達成し、有効に節水の目的を達成する。
【００１０】
【実施例】
本考案は用水回収保存分段給水装置を具えたトイレタンクを提供し、特にその構造の設計により、洗面台等の設備の用水を導入して回収再利用し、さらにその水量分段給水が組み合わされて有効に用水量を制御し、これにより真正の節水機能を達成する。
【００１１】
図１は本考案の構造表示図であり、図示されるように、本考案は構造設計上、トイレタンク１０の一側に回収入水管１４及びフロートバルブ１５が設けられ、該回収入水管１４は直接洗面台等の設備の排水管（図示せず）に連接され、該フロートバルブ１５は単一のトイレタンク１０にあって省略可能であり、該回収入水管１４が洗面台等の設備の使用済みの水をトイレタンク１０内に導入する。
【００１２】
トイレタンク１０内部には連接棒セット２０が設けられ、該連接棒セット２０は外部の押しボタン２１の操作制御を受ける牽引棒２２、牽引棒２２に引っ張られるロープ２３、２４に牽引されて連動する圧接棒２５と止水弁２６を、圧接棒２５の制御を受けて止水弁２６の開放幅に対して限位を形成するストッパロッド２７、及び直接止水弁２６を直接牽引する副牽引棒２８及び押しボタン２９を具え、以上の部品で組成された連接棒セット２０がトイレタンク１０の出水量を制御する。
【００１３】
別にトイレタンク１０の底部に水道水入水管１２及びフロートバルブ１３が設けられ、水道水入水管１２の高さとフロートバルブ１３のレベルが低位置に設置され、これによりその水道水が一回注水の入水量のみ注入される。
【００１４】
また、トイレタンク１０の内部にオーバーフロー管１６が設けられ、該オーバーフロー管１６の下端が出水管と連通し、トイレタンク１０の貯水が一定程度に達した後、該オーバーフロー管１６より便器内に導入される。
【００１５】
図２から４の構造関係表示図も参照されたい。本考案は以上の構造組成により、トイレタンク１０の貯水が完全に排出された後、水道水入水管１２のフロートバルブ１３が水の浮力の消失により開放状態を呈し、これにより水道水がトイレタンク１０内に導入され、入水量が設定水量に達すると、そのフロートバルブ１３が浮力上昇により水道水入水管１２を閉じ、水道水の入水を停止させ、これにより水道水の入水が一定量に制御される。
【００１６】
トイレタンク１０の貯水が未満の時、回収入水管１４のフロートバルブ１５が下降して開放状態を呈し、この時、洗面台等の設備の使用済み用水が排出されると、該回収入水管１４がトイレタンク１０内に導入し、トイレタンク１０の貯水が一定程度に達すると、該フロートバルブ１５が上昇し回収入水管１４を閉じ、洗面台等の設備の用水がそれ以上トイレタンク１０内に導入されないようにし、さらにその他のトイレタンク１０内に流入させるか、或いはトイレタンク１０にフロートバルブ１５が未設置の時、トイレタンク１０の過多の水量がオーバーフロー管１６により便器内に導入され、トイレタンク１０の貯水が過多となり地面に溢れる状況が発生するのを防止する。
【００１７】
トイレタンク１０の注水操作上は、押しボタン２１の押圧に連動し牽引棒２２が上昇し、牽引棒の二つのロープ２３、２４が同時に圧接棒２５及び止水弁２６を持ち上げ、このとき、ストッパロッド２７のフロートバルブ２７２が制圧されずに上昇し、ストッパロッド２７の係止部２７１が下降して止水弁２６を係止し、これによりトイレタンク１０内部の水が底部の出水孔１１より便器内に排出され、圧接棒２５が上昇して一定高度に至り、下降してストッパロッド２７のフロートバルブ２７２に衝突する時、ストッパロッド２７の別端の係止部２７１が反対に上昇し、これにより止水弁２６に対する係止が解除され、止水弁２６が下降した後、出水孔１１が閉じられて便器への注水が止められる。これにより、圧接棒２５が引き上げられて下降しストッパロッド２７のフロートバルブ２７２に衝突するまでの時間により、注水量が制御され、その圧接棒２５の引き上げ幅を利用し、必要な出水量を制御するか、或いは直接押しボタン２９で副牽引棒２８を制御して直接止水弁２６を引き上げて機動性の少量注水を行う。
【００１８】
別に、図５の構造関係表示図を参照されたい。本考案は前述の洗面台等の設備の排水管に単一のトイレタンクが連接された実施形態のほか、複数のトイレタンク１０をそれぞれ回収入水管１４で直列に連接してさらに洗面台３０の排水管３１に連接し、洗面台３０の用水を該回収入水管１４により順にトイレタンク１０に導入するようにした形態も可能であり、この直列連接された複数のトイレタンク１０の最後の一つのタンクのフロートバルブは省略可能で、前述の洗面台３０の排水管３１がこれにより直接トイレタンク１０の回収入水管１４に連接される。洗面台３０の支持強度を増すため、スタンド３２により洗面台３０の下方を支持し、並びに調整式足座３３により地面との良好な接触関係を得て、これにより洗面台３０の墜落破裂の恐れをなくす。
【００１９】
さらに、図６の構造関係表示図に示されるように、前述の単純な家庭用水回収使用実施形態以外に、本考案はビルの水資源回収システムとされ得る。ビルの各室の洗面台３０、浴槽、シャワーヘッド等の衛生設備用水を各階に設置された大型タンク４０に保存した後、さらに出水管４１で下の階の各室のトイレタンク１０に導入し、これによりその水資源の回収利用を更に効率的に行うことができ、各住人が節水することによる環境保護と経済効果を達成できる。
【００２０】
【考案の効果】
以上の説明から分かるように、本考案のトイレタンクはその内部の連接棒セットの設置により、大小便の要求により適当な水量を選択する節約式注水機能を具えるほか、水道水入水管及びフロートバルブの低い位置の設置により有効に水道水の入水量を制御でき、さらに回収入水管が組み合わされて洗面台の使用済みの水を導入できる新規な設計とされ、有効に水道水の使用量を減らせ、これにより水量分段の節水機能のほか、水資源の回収再利用の機能を有し、真正に節水の目的を達成する。
【００２１】
総合すると、本考案はトイレタンクの構造設計に対して、現在市販されているトイレタンクの分段給水機能のほか、さらに水道水入水管の低い位置の設置と回収入水管による洗面台用水の導入が組み合わされることにより、有効に水道水の使用量を制御でき、並びに水資源の回収再利用の環境保護効果を達成し、真正の節水機能を達成し、全体として極めて良好な産業上の利用価値と実用性を有し、優れた新規な設計を有し、実用新案登録の要件を具備するものである。
【図面の簡単な説明】
【図１】本考案の構造表示図である。
【図２】本考案の水道水入水状態での構造関係表示図である。
【図３】本考案の洗面台用水入水状態での構造関係表示図である。
【図４】本考案の出水制御状態での構造関係表示図である。
【図５】本考案の複数のトイレタンク直列連接形態の構造関係表示図である。
【図６】本考案のビル用水回収直列連接形態の構造関係表示図である。
【符号の説明】
１０　トイレタンク　　　　　　１１　出水孔
１２　水道水入水管　　　　　　１３　フロートバルブ
１４　回収入水管　　　　　　　１５　フロートバルブ
１６　オーバーフロー管　　　　２０　連接棒セット
２１　押しボタン　　　　　　　２２　牽引棒
２３、２４　ロープ　　　　　　２５　圧接棒
２６　止水弁　　　　　　　　　２７　ストッパロッド
２８　副牽引棒　　　　　　　　２９　押しボタン
２７１　係止部　　　　　　　　２７２　フロートバルブ
３０　洗面台　　　　　　　　　３１　排水管
３２　スタンド　　　　　　　　３３　足座
４０　タンク　　　　　　　　　４１　出水管
【図１】
0003097053.tif 000003
【図２】
0003097053.tif 000004
【図３】
0003097053.tif 000005
【図４】
0003097053.tif 000006
【図５】
0003097053.tif 000007
【図６】
0003097053.tif 000008